(57)【特許請求の範囲】
【請求項１】
パイプを抱持するバンド本体の一対の取付片部に、足部材を挟み込んで取付けるパイプ支持バンドにおいて、
上記足部材は、その足本体の長さ方向に調節用長孔を形成するとともに、前記足本体の上端には複数の切込み凹所を形成し、
上記一対の取付片部は、少なくとも一方の内面に、上記調節用長孔に嵌入する凸部を突設するとともに、前記取付片部の上端には切込部を設けており、
上記取付片部に設けた凸部を足部材の調節用長孔に嵌入して該足部材を挟み込み、前記取付片部を前後にスライドして上記バンド本体の位置を調節することが可能であって、且つ、上記切込み凹所のいずれかを切込部に重合させ、その重合部分にコ字形の杭板を嵌め込んで、上記足部材を取付片部に固着することを特徴としたパイプ支持バンド。
【請求項２】
請求項１において、
該凸部に対応する上記取付片部の外面には単又は複数の凹部を形成し、上記コ字形の杭板には一対の係止爪を設けている。
【請求項３】
請求項１において、
上記足部材の複数の切込み凹所は、複数の溝を連続して形成している。
【発明の詳細な説明】
【０００１】
【発明の属する技術分野】
本発明は、建築物の壁面又は床面等に沿って配されるパイプを抱持支承するパイプ支持バンドに関する。
【０００２】
【従来の技術】
従来、パイプを抱持するバンド本体の一対の取付片部に、足部材を挟み込んで取付けるようにしたパイプ支持バンドは公知であり、図５（ａ）、（ｂ）は、実用新案登録公報第３０４４４７４号に開示された従来のパイプ支持バンドを示す図である。
【０００３】
本件公報のパイプ支持バンド１００は、パイプを抱持するバンド本体１０１の一対の取付片部１０２、１０２に、足部材１０３を挟み込んで、一組のボルト１０４及びナット１０５で両者を締結し、上記足部材１０３の基端を壁等に固定するものであり、上記ナット１０５に代えて取付片部１０２にバーリングネジ加工したことを特徴とし、取付片部１０２と足部材１０３とを簡単に固定するするものである。
【０００４】
また、図６は、実用新案登録公報第２５５７４４８号に開示された他の従来のパイプ支持バンドを示す図である。
【０００５】
本件公報のパイプ支持バンド２００は、パイプを抱持するバンド本体２０１の一対の取付片部２０２、２０２の一方には螺杆部２０３を、他方にはこれに対応する固着孔２０４を形成したものであり、この螺杆部２０３に、壁等から突設された足部材２０４の取付孔２０５を挿通し、この足部材２０４を上記取付片部２０２、２０２で挟み込んだ後、ナットでこれを締結し、取り付けるものであり、上記壁等から突設された足部材２０４の長さを螺杆部２０３で調整するものである。
【０００６】
【発明が解決しようとする課題】
従来のパイプ支持バンドでは、上記壁等から突設された足部材の長さを螺杆部で調整することで、取付片部と足部材の固定する長さを調整するという思想はあった。
【０００７】
また、取付片部と足部材とを簡単に固定する考案も創作されていた。
【０００８】
しかし、足部材の長さを螺杆部で調整する従来のパイプ支持バンドでは、バンド本体の取付片部を足部材と固定する直前に、両者の長さを調整することはできない。
【０００９】
すなわち、施工手順から考えると、先ず足部材を壁等に固定した後、この足部材に対して取付片部を固定するのであるが、従来の螺杆部でその長さを調整するものでは、足部材側で先に取り付け長さを調整した後に取付片部を固定するものである。
【００１０】
そのため、パイプにバンド本体を抱持した後、このバンド本体の取付片部を、上記足部材に固定する場合に、その取付孔同士が重合できないことがあり、その際には足部材の長さを螺杆部で再度調整し、その後に取付孔にボルト、ナットで締結して固定するという煩わしい手間がかかり、しかも施工時間が長くなるという問題があった。
【００１１】
本発明は、かかる課題に鑑み、前記バンド本体に設けた取付片部を足部材に固定する直前に、両者の固定する長さを簡単に調整できるパイプ支持バンドを提供することを目的としている。
【００１２】
【課題を解決するための手段】
上記目的を達成するため、請求項１に係るパイプ支持バンドは、パイプを抱持するバンド本体の一対の取付片部に、足部材を挟み込んで取付けるパイプ支持バンドにおいて、
上記足部材は、その足本体の長さ方向に調節用長孔を形成するとともに、前記足本体の上端には複数の切込み凹所を形成し、
上記一対の取付片部は、少なくとも一方の内面に、上記調節用長孔に嵌入する凸部を突設するとともに、前記取付片部の上端には切込部を設けており、
上記取付片部に設けた凸部を足部材の調節用長孔に嵌入して該足部材を挟み込み、前記取付片部を前後にスライドして上記バンド本体の位置を調節することが可能であって、且つ、上記切込み凹所のいずれかを切込部に重合させ、その重合部分にコ字形の杭板を嵌め込んで、上記足部材を取付片部に固着することを特徴としている。
【００１３】
この請求項１では、取付片部を足部材に固定する直前に、両者の固定する長さを簡単に調整できる。
【００１４】
請求項２に係るパイプ支持バンドは、請求項１において、
該凸部に対応する上記取付片部の外面には単又は複数の凹部を形成し、上記コ字形の杭板には一対の係止爪を設けている。
【００１５】
請求項２では、請求項１における取付片部の外面に形成した凹部に、上記杭板の係止爪を噛み付かせて、上記杭板が抜け外れることを防止している。
【００１６】
請求項３に係るパイプ支持バンドは、請求項１において、
上記足部材の複数の切込み凹所は、複数の溝を連続して形成している。
請求項３では、上記複数の切込み凹所は、複数の溝を連続して形成しているので、上記複数の溝のいずれかを、取付片部の切込部に合致させて、バンド本体の取付け位置を多段階、無段階に調節できる。
【００１７】
【発明の実施の形態】
以下、本発明に係るパイプ支持バンドＢを図面に基づき説明する。
図１は、本発明に係るパイプ支持バンドＢの一実施例を示す分解斜視図である。
【００１８】
このパイプ支持バンドＢは、図中想像線で示すパイプＰを抱持すべく、ヒンジ３を介して開閉するバンド本体１の取付片部１１と、壁等に固定した足部材２の足本体２２とを固定するもので、これらは公知のものである。
【００１９】
本発明は、上記取付片部１１を足本体２２に対して前後調節ができるとともに、バンド本体１と足部材２を杭板４で強固に固定することに特徴がある。
【００２０】
以下、各部材について詳説すると、上記バンド本体１は、パイプＰを周回する板状のバンド部１０の前端にヒンジ３を設け、該バンド部１０、１０を開閉可能とし、これらバンド部１０、１０の各々の後端には一対の取付片部１１、１１を後方に延設している。
【００２１】
また、上記取付片部１１、１１の内面には、各々３個の凸部１２、１２を対向して突設しており、この凸部１２、１２の高さは、上記足本体２２の厚みの略１／２程度にしている。
【００２２】
上記凸部１２、１２に対応する上記取付片部１１、１１の外面には、半球状にへこんだ凹部１３、１３をそれぞれ形成する。
【００２３】
また、上記取付片部１１、１１の上端であって、真中の凸部１２ａ、１２ａの上位には、上方に開放する切込部１４、１４を形成しており、両切込部１４、１４はバンド本体１を閉じた状態では、重合する位置に形成している。
【００２４】
一方、上記足部材２は、壁等に固定する取付軸２１ａを備えた取付台座２１の前方に、上記取付片部１１と略同じ高さで且つそれよりもやや長い板状の足本体２２を突設して形成している。
【００２５】
上記足本体２２の上端には、上記切込部１４と略同形であって、切込部１４に重合する複数の切込み凹所２３、２３・・・を一定間隔をあけて形成している。
また、上記切込み凹所２３のやや下側であって、上記凸部１２と対応する位置には、該凸部１２を嵌入する調節用長孔２４を形成している。
上述の如く構成した排管支持バンドＢは、以下の如く使用する。
【００２６】
図２（ａ）〜（ｄ）は、本発明に係る排管支持バンドＢの取付要領を示す説明図であり、本図を用いて上記調節用長孔２４と凸部２３との関係を更に説明する。
【００２７】
先ず、図２（ａ）に示すように、上記足部材２の取付軸２１ａを壁等に螺着し、上記切込み凹所２３、２３…を上方にして足部材２を固着する。
【００２８】
次に、バンド本体１を開いてパイプＰを抱持した後、これを閉じる際に、上記取付片部１１の凸部１２、１２を、図２（ｂ）に示すように足部材２の調節用長孔２４に嵌め入れる。
【００２９】
そして、上記バンド本体１の取付片部１１を完全に閉め、対向する凸部１２、１２同士を接合させれば、上記一対の取付片部１１、１１が足本体２２を挟み込んだ状態となる。
【００３０】
この状態のままで、パイプＰ又はバンド本体１を持って、そのパイプＰを前後(図面上は左右)に動かせば、パイプＰを抱持したバンド本体１は、図３（ｃ）又は（ｄ）の範囲で前後調節をすることができる。
【００３１】
また、図３（ｄ）で示すように、パイプＰが最も壁側に移動したときであっても、上記足本体２２の先端２２ａがパイプＰに当接しないように、上記凸部１２後端で調節用長孔２４を規制している。
そして、パイプＰの取付位置が決まった所で、上記一対の取付片部１１、１１の切込部１３、１３を、近接する上記足部材２の切込み凹所２３に重合させ、この重合させた切込部等１３、２３に向けて、上記杭板４を上方より嵌め込んでこれを圧入し、上記一対の取付片部１１、１１の開放を規制する。
また、この状態における作業者は、その両手を離しても取付片部１１、１１が開放しないので、最後の取付けチェックなどの作業等を行うことができる。
そして、最終チェックを行った後、上記杭板４を金槌などで更に叩き込み、杭板４の閉止片４１を上記切込部等１３、２３に完全に嵌入する。
【００３２】
また、杭板４の嵌め込みによって、その脚４２、４２に対向して設けた一対の係止爪４２ａ、４２ａが、上記取付片部１１外面の凹部１３、１３にそれぞれ噛み付くので、この杭板４が抜け外れることを防止する。
【００３３】
このように杭板４の嵌め込みによって、上記バンド本体１の移動を完全に規制するとともに、このバンド本体１を足部材２に強固に固定し、その取付作業を終えるのである。
【００３４】
図３（ａ）〜（ｅ）は、足部材２の切込み凹所２３の変形態様を示す図である。
【００３５】
図３（ａ）は、一定間隔をあけてＶ形状の切込み凹所２３を形成した足部材２、図３（ｂ）は、一定間隔をあけてホームベース型の切込み凹所２３を形成した足部材２、図３（ｃ）は、一定間隔をあけて半円状の切込み凹所２３を形成した足部材２、図３（ｄ）は、山部と谷部が連続する複数の半円溝２３を形成した足部材２、図３（ｅ）は、山部と谷部が連続する複数のＶ溝２３を形成した足部材２を各々示している。
【００３６】
このように、上記切込み凹所２３の形状は種々のものが考えられるが、とくに、図３（ｅ）に示すように、山部と谷部が連続する複数のＶ溝２３を形成した足部材２にあっては、該足部材２の取付け位置を多段階、無段階に調節できる。
図４（ａ）〜（ｄ）は、コ字状の上記杭板４の変形例の縦断面構造図である。
【００３７】
図４（ａ）は、上記閉止片４１を縦断面矩形状に形成した杭板４、図４（ｂ）は、上記閉止片４１を縦断面ホームベース状に形成した杭板４、 図４（ｃ）は、上記閉止片４１を下方に湾曲した縦断面略半円状に形成した杭板４、 図４（ｄ）は、上記閉止片４１の下面を傾斜させた縦断面略三角形状に形成した杭板４を各々示している。
【００３８】
これら閉止片４１の何れを採用するかは、図３に示した上記切込み凹所２３の形状に合わせて適宜採択されるものである。
【発明の効果】
本発明によれば、次のような効果がある。
【００３９】
請求項１に係るパイプ支持バンドによれば、上記取付片部に設けた凸部が、上記足部材に設けた調節用長孔に嵌め込まれるので、パイプを抱持するバンド本体の一対の取付片部に、足部材を挟み込んで取付けるようにしたパイプ支持バンドであっても、上記取付片部を足部材に固定する直前に、両者の固定する長さを簡単に調整できる。
【００４０】
また、この調節後には、足部材の切込み凹所を介して重合する上記取付片部の切込部に杭板をムリ嵌めすることで、上記取付片部を足部材に確実且つ強固に固定できる。
【００４１】
請求項２に係るパイプ支持バンドによれば、請求項１における凸部に対応する上記取付片部の外面には単又は複数の凹部を形成し、上記コ字形の杭板に一対の係止爪を設けているので、この係止爪を取付片部の凹部に噛み付かせて、上記杭板の抜け外れを防止できる。
【００４２】
請求項３に係るパイプ支持バンドによれば、上記足部材の複数の切込み凹所は、複数の溝を連続して形成しているので、上記複数の溝のいずれかを、取付片部の切込部に合致させて、足部材の取付け位置を多段階、無段階に調節できる。
【図面の簡単な説明】
【図１】全体の分解斜視図
【図２】（ａ）〜（ｄ）は、本発明に係る排管支持バンドＢの取付要領を示す説明図
【図３】（ａ）〜（ｅ）は、足部材の位置調節切込み凹所の変形態様を示す図
【図４】（ａ）〜（ｄ）は、コ字状固定具の変形例の縦断面構造図
【図５】従来のパイプ抱持バンド（ヒンジ部を設けたもの）の例図
【図６】従来のパイプ抱持バンドの例図
【符号の説明】
Ｂ    パイプ支持バンド
Ｐ   パイプ
１   バンド本体
１１ 取付片部
１２ 凸部
１３ 凹部
１４ 切込部
２ 足部材
２２ 足本体
２３ 切込み凹所
２４ 調節用長孔
３ ヒンジ
４ 杭板
４２ａ係止爪
【図１】
0004313886.tif 000002
【図２】
0004313886.tif 000003
【図３】
0004313886.tif 000004
【図４】
0004313886.tif 000005
【図５】
0004313886.tif 000006
【図６】
0004313886.tif 000007